(57)【要約】プッシュツートークアセンブリは、内部開口を画定する金属リングを含み、金属リングは、金属リングをポータブル通信デバイスの表面に結合するように構成された少なくとも１つの外部突起を含む。プッシュツートークアセンブリは、金属リングに結合されたボタンをさらに含み、ボタンは、内部開口内に配置され、かつ金属リングに共成形された可撓性ポリマー材料を含む。ボタンは、接触されて押圧されるように構成された第１の面と、ポータブル通信デバイスの内部に面するように構成された第２の反対側の面とを含む。プッシュツートークアセンブリは、ボタンの第２の面に結合された金属バッキングプレートをさらに含む。
2019519881.tif 000002
【特許請求の範囲】
【請求項１】
ポータブル通信デバイスのためのプッシュツートークアセンブリであって、
内部開口を画定する金属リングであって、前記金属リングを前記ポータブル通信デバイスの表面に結合するように構成された少なくとも１つの外部突起を含む前記金属リングと、
前記金属リングに結合されたボタンであって、前記内部開口内に配置され、かつ前記金属リングと共成形された可撓性ポリマー材料を含み、接触して押圧されるように構成された第１の面、及びポータブル通信デバイスの内部に面するように構成された第２の反対側の面を含む前記ボタンと、
前記ボタンの第２の面に結合された金属バッキングプレートと
を備える、プッシュツートークアセンブリ。
【請求項２】
前記金属バッキングプレートは、前記ボタンの第２の面に接着接合されているか、または共成形されているかのうちの少なくとも一方である、請求項１に記載のプッシュツートークアセンブリ。
【請求項３】
平面状本体部分と、前記平面状本体部分から延出するドーム形状部分とを有するドームアレイアセンブリをさらに備え、前記ドーム形状部分は、前記ボタンが押圧された場合に、前記ボタンの第２の面によって接触され、前記平面状本体部分に対して撓むように構成されている、請求項１に記載のプッシュツートークアセンブリ。
【請求項４】
前記ドームアレイアセンブリは、ステンレス鋼で構成されている、請求項３に記載のプッシュツートークアセンブリ。
【請求項５】
前記ドームアレイアセンブリの平面状本体部分は、プラスチックのヒートステークを受容して前記ポータブル通信デバイスに前記ドームアレイアセンブリを取り付けるように構成された複数の開口を含む、請求項３に記載のプッシュツートークアセンブリ。
【請求項６】
前記ドームアレイアセンブリに結合された接地金属プレートをさらに備え、前記接地金属プレートは、前記ポータブル通信デバイス内のプリント回路基板に結合されるように構成された延長タブを有している、請求項３に記載のプッシュツートークアセンブリ。
【請求項７】
前記接地金属プレートは、チタン銅合金で作られており、０．２０ｍｍより大きくない厚さを有している、請求項６に記載のプッシュツートークアセンブリ。
【請求項８】
前記接地金属プレートは、前記ドームアレイアセンブリに接着接合されており、前記ドームアレイアセンブリの平面状本体部分は、第１の複数の開口を含み、前記接地金属プレートは、前記第１の複数の開口と位置合わせされた第２の複数の開口を含み、前記第１の複数の開口及び前記第２の複数の開口は、ヒートステークを受容して前記ドームアレイアセンブリ及び前記接地金属プレートを前記ポータブル通信デバイスに取り付けるように構成されている、請求項６に記載のプッシュツートークアセンブリ。
【請求項９】
前記ポータブル通信デバイス内のプリント回路基板に結合されるように構成された第１の部分と、前記ドームアレイアセンブリのドーム形状部分によって接触されるように構成された硬質の接触領域を有する固定端子を画定する第２の剛性部分とを有する補強金属プレートをさらに備える、請求項６に記載のプッシュツートークアセンブリ。
【請求項１０】
前記補強金属プレートは、チタン銅合金で作られており、０．２０ｍｍより大きくない厚さを有している、請求項９に記載のプッシュツートークアセンブリ。
【請求項１１】
前記金属リングは、前記内部開口に向かって内側に延出する棚部を有する細長いリングであり、前記可撓性ポリマー材料は、シリコーンゴムであり、前記シリコーンゴムの一部は、前記棚部の周りを包み込んでいる、請求項１に記載のプッシュツートークアセンブリ。
【請求項１２】
前記少なくとも１つの外部突起は、アンダーカットを画定して前記ポータブル通信デバイスのハウジングと係合する４つの突起を含む、請求項１に記載のプッシュツートークアセンブリ。
【請求項１３】
ポータブル通信デバイスであって、
ハウジングと、
前記ハウジング内に配置されたプリント回路基板と、
前記プリント回路基板に結合されたプッシュツートークアセンブリと
を備え、前記プッシュツートークアセンブリは、さらに、前記ハウジングの側面に結合され、かつ前記ハウジングの側面に沿って配置され、内部開口を画定する金属リングを有し、前記金属リングは、前記金属リングを前記ハウジングに結合する少なくとも１つの外部突起を含み、前記プッシュツートークアセンブリは、前記金属リングに結合されたボタンをさらに含み、前記ボタンは、前記内部開口内に配置され、かつ前記金属リングと共成形されたポリマー材料を含み、前記ボタンは、接触されて押圧されるように構成された第１の面と、前記ポータブル通信デバイスの内部に面する第２の反対側の面とを含む、ポータブル通信デバイス。
【請求項１４】
前記ボタンは、前記ハウジングの側面と実質的に同一平面である、請求項１３に記載のポータブル通信デバイス。
【請求項１５】
前記プッシュツートークアセンブリの全体の厚さは、２．１ｍｍ以下である、請求項１３に記載のポータブル通信デバイス。
【請求項１６】
前記プッシュツートークアセンブリは、感圧接着剤、可撓性ポリマー材料、または液体接着剤のうちの少なくとも１つを用いて前記ハウジングに封止されている、請求項１３に記載のポータブル通信デバイス。
【請求項１７】
前記ボタンは、折り畳み可能なゴムの領域を含み、前記プッシュツートークアセンブリが前記ハウジングに結合されると、前記折り畳み可能なゴムの領域が、前記プッシュツートークアセンブリを前記ハウジングに封止する、請求項１３に記載のポータブル通信デバイス。
【請求項１８】
前記プッシュツートークアセンブリは、前記ボタンの第２の面に接着接合された金属バッキングプレートを含む、請求項１３に記載のポータブル通信デバイス。
【請求項１９】
前記プッシュツートークアセンブリは、前記ハウジングに結合されたドームアレイアセンブリを含み、前記ドームアレイアセンブリは、平面状本体部分と、前記平面状本体部分から延出するドーム形状部分とを有し、前記ドーム形状部分は、前記ボタンの底面によって接触され、前記平面状本体部分に対して撓むように構成されている、請求項１３に記載のポータブル通信デバイス。
【請求項２０】
前記プッシュツートークアセンブリは、前記ドームアレイアセンブリに結合された接地金属プレートを含み、前記接地金属プレートは、前記プリント回路基板に結合された第１のタブを有し、前記プッシュツートークアセンブリは、前記プリント回路基板に結合された第２のタブを有する補強金属プレートをさらに含み、前記補強金属プレートは、前記ドームアレイアセンブリのドーム形状部分により接触されるように構成された硬質の接触領域を有する固定端子を画定する第２の剛性部分をさらに有する、請求項１９に記載のポータブル通信デバイス。
【発明の詳細な説明】
【背景技術】
【０００１】
双方向無線、陸上移動無線、携帯電話機などのポータブル通信デバイスは、しばしばプッシュツートークアセンブリを含む。プッシュツートークは、音声送信モードと音声受信モードとの間の切り替えを制御する無線通信サービスにおいて一般的に使用される通信手段である。これらのアセンブリは、一般に、押圧された場合にユーザが他のポータブル通信デバイスと通話することを可能にするボタンを含む。
【図面の簡単な説明】
【０００２】
【図１】一実施形態によるポータブル通信デバイスの斜視図である。
【図２】図１のポータブル通信デバイスの背面図である。
【図３】図１のポータブル通信デバイスの側面図である。
【図４】図１のポータブル通信デバイスのプッシュツートークアセンブリの斜視分解図である。
【図５】プッシュツートークアセンブリのボタン及び金属リングの斜視分解図である。
【図６】組み立てられた状態のプッシュツートークアセンブリを示す、図１のポータブル通信デバイスの斜視断面図である。
【図７】図３の線７−７に沿った、図１のポータブル通信デバイスの断面図である。
【図８】プッシュツートークアセンブリの金属リング上の係止要素を示す、図７の断面図の拡大部分を示す図である。
【図９】プッシュツートークアセンブリの金属リング上の係止要素を示す、図１のポータブル通信デバイスの、図３の線９−９に沿った断面図である。
【図１０】プッシュツートークアセンブリの接地金属プレート及び補強金属プレートの斜視分解図である。
【図１１】接地金属プレートに結合されたプッシュツートークアセンブリのドームアレイアセンブリの斜視図である。
【図１２】ハウジング及びプリント回路基板に結合されたプッシュツートークアセンブリの部分を示す、図１のポータブル通信デバイスの部分斜視図である。
【図１３】ハウジング及びプリント回路基板に結合されたプッシュツートークアセンブリの部分を示す、図１のポータブル通信デバイスの部分斜視図である。
【図１４】ハウジング及びプリント回路基板に結合されたプッシュツートークアセンブリの部分を示す、図１のポータブル通信デバイスの部分斜視図である。
【図１５】プッシュツートークアセンブリの回路を示す図である。
【図１６】別の実施形態によるドームアレイアセンブリの斜視図である。
【図１７】プッシュツートークアセンブリをハウジングに封止する接着性シーリング要素を示す、図１のポータブル通信デバイスの、図３の線１７−１７に沿った断面図である。
【図１８】プッシュツートークアセンブリをハウジングに封止するゴムシーリング要素を示す、別の実施形態によるポータブル通信デバイスの断面図である。
【発明を実施するための形態】
【０００３】
同様の参照番号が同一または機能的に同様の要素を示す添付図面は、以下の詳細な説明とともに本明細書に組み込まれ、本明細書の一部を形成し、請求された発明を含む概念の実施形態及びそれらの実施形態の様々な原理及び利点をさらに説明するために用いられる。
【０００４】
当業者であれば、図面の要素は、簡潔かつ明確にすることを目的として示されており、必ずしも縮尺通りに描かれていないことを理解するであろう。例えば、図面のいくつかの要素の寸法は、本発明の実施形態の理解を向上させるのを助けるために、他の要素に対して誇張されている場合がある。
【０００５】
装置及び方法の構成要素は、本開示の恩恵を受ける当業者であれば容易に理解できるような詳細により本開示が不明瞭にならないように、適切な場合には本発明の実施形態を理解することに関連する特定の詳細のみを示す図面の様式化された記号によって表されている。
【０００６】
ポータブル通信デバイスは、内部開口を画定する金属リングを含み、金属リングは、金属リングをポータブル通信デバイスの表面に結合するように構成された少なくとも１つの外部突起を含む。プッシュツートークアセンブリは、金属リングに結合されたボタンをさらに含み、ボタンは、内部開口内に配置され、かつ金属リングに共成形された（co-molded）可撓性ポリマー材料を含む。ボタンは、接触されて押圧されるように構成された第１の面と、ポータブル通信デバイスの内部に面するように構成された第２の反対側の面とを含む。プッシュツートークアセンブリは、ボタンの第２の面に結合された金属バッキングプレート（backing plate）をさらに含む。
【０００７】
図１から図３は、ポータブル通信デバイス１０の一例を示す。図示の例では、ポータブル通信デバイス１０は、ハウジング１４を含む。いくつかの実施形態では、ハウジング１４は、ポータブル通信デバイス１０の筐体（enclosure）を画定する。ポータブル通信デバイス１０はまた、ハウジング１４に結合され、かつハウジング１４から延出するアンテナ１８と、ハウジング１４の前面２６に配置された表示領域２２と、ハウジング１４の頂部３４に沿って配置された電源ボタン３０と、ハウジング１４の頂部３４に沿って配置されたトグルボタン３８と、ハウジング１４の側面４６に沿って配置された第１のプログラム可能なボタン４２と、ハウジング１４の側面４６に沿って配置された音量制御ボタン５０と、ハウジング１４の側面４６に沿って配置された第２のプログラム可能なボタン５４と、ハウジング１４の側面４６に沿って配置されたプッシュツートークアセンブリ５８とを含む。他の実施形態は、アンテナ１８、表示領域２２、電源ボタン３０、トグルボタン３８、第１のプログラム可能なボタン４２、第２のプログラム可能ボタン５４、及びプッシュツートークアセンブリ５８のうちの少なくとも一つについて、図示のものと異なる位置を含む。いくつかの実施形態では、アンテナ１８、表示領域２２、電源ボタン３０、トグルボタン３８、及びプログラム可能なボタン４２，５４のうちの１つまたは複数は設けられていない。
【０００８】
図４を参照すると、プッシュツートークアセンブリ５８は、ボタン６２と、ボタン６２に結合された金属リング６６と、ドームアレイアセンブリ７０と、接地金属プレート７４と、補強金属プレート７８とを含む。図１及び図２に示すように、組み立てられるとプッシュツートークアセンブリ５８は、ハウジング１４の側面４６と概して同一平面となるようにハウジング１４の側面４６に沿って配置され、ハウジング１４からはみ出さない。
【０００９】
図５を参照すると、金属リング６６は、内部開口８２を画定し、ポータブル通信デバイス１０の表面に金属リング６６を結合するように構成された少なくとも１つの外部突起８６を含んでいる。図示した実施形態では、金属リング６６は、４つの外部突起８６を含み、その各々がハウジング１４の一部に係合する係止要素（catch element）として機能するアンダーカットを形成する。他の実施形態は、異なる数の外部突起８６、またはポータブル通信デバイス１０の表面に金属リング６６を結合するように構成された他の構造を含む。図５に示すように、金属リング６６は、丸みを帯びた端部を有する概ね細長い形状を有しており、主リング部９０と、主リング部９０から内部開口８２に向かって内方に延出する棚部（ledge）９４とを含む。図示された実施形態では、金属リング６６は、ステンレス鋼板金で作られている。金属リング６６の他の実施形態は、図示されたものと異なる形状及びサイズ、ならびに異なる材料を含む。
【００１０】
図６から図９を参照すると、ボタン６２及び金属リング６６がハウジング１４上に組み立てられた場合、金属リング６６は、概してハウジング１４の凹部領域８４（図８）内に位置し、金属リング６６の最も外側の部分は、ハウジング１４の最も外側の部分と同一平面か、または概ね同一平面となり、外部突起８６は、ハウジング１４の１つまたは複数の領域を把持している。図７から図９に示すように、図示された実施形態では、金属リング６６は、金属リング６６の上部に沿った外部突起８６、及び（図７に示すように）金属リング６６の底部に沿った別の外部突起８６、ならびに金属リング６６の各側部に沿った外部突起８６（図９に見られるように、図５に示された外部突起８６のオフセット性質のために外部突起８６のうちの１つのみが図９において見えている）を含む。図８に示すように、外部突起８６の各々は、曲がった、又はＣ字形のプロファイルを有しており、これにより、外部突起８６を、ハウジング１４と係合し、かつ金属リング６６及びボタン６２をハウジング１４に（例えば、スナップ嵌め式に）結合する係止要素として機能させることが可能となる。その外部突起８６を含む金属リング６６は、プッシュツートークアセンブリ５８全体に安定性を提供し、凹部領域８４の領域においてハウジング１４を強化する。他の実施形態は、外部突起８６の図示されたものと異なる形状及びサイズ、ならびに外部突起８６の図示されたものと異なる位置を含む。他の実施形態はまた、金属リング６６及びボタン６２のためのポータブル通信デバイス１０に沿った図示のものと異なる位置を含む。
【００１１】
図５及び図６を参照すると、ボタン６２は、可撓性ポリマー材料（例えば、シリコーンゴム）からなり、折り畳み可能な領域（collapsible region）１００を含んでいる。ボタン６２は、内部開口８２内に配置され、金属リング６６と共成形されて、ボタン６２の部分が（図６に示すように）棚部９４を包み込むか、またはそうでなければ棚部９４に係合し、あるいは棚部９４を包み込みかつ棚部９４と係合する。ボタン６２の他の実施形態は、異なる材料で作られているか、または（例えば接着剤を介して）異なる方法で金属リング６６に結合されている。
【００１２】
図６を続けて参照すると、ボタン６２は、第１の面１０２と、第２の反対側の面１０６とを含む。第１の面１０２は、折り畳み可能な領域１００において、ユーザによって接触され、押圧されるように構成されている。第２の面１０６は、ポータブル通信デバイス１０の内部に面している。
【００１３】
図５及び図６を参照すると、プッシュツートークアセンブリ５８はまた、金属バッキングプレート１１０を含んでいる。金属バッキングプレート１１０は、ボタン６２の第２の面１０６に結合されている。金属バッキングプレート１１０は、ユーザが第１の面１０２を押すと、その力がほぼボタン６２全体に分散されるように、ボタン６２の裏側に追加の安定性を提供する。したがって、たとえユーザがボタン６２の中央のボタン６２を押し損なったとしても、プッシュツートークアセンブリ５８は依然として起動されている。
【００１４】
図示された実施形態では、金属バッキングプレート１１０は、ボタン６２の第２の面１０６に接着接合されている（adhesively bonded）。他の実施形態では、金属バッキングプレート１１０は、ボタン６２と共成形されるか、または別の方法で第２の面１０６に結合されている。図５に示すように、図示された金属バッキングプレート１１０は、丸みを帯びた端部を有する概ね細長いプレートである。しかし、他の実施形態は、図示されたものとは異なる形状及びサイズを含む。
【００１５】
図１０を参照すると、接地金属プレート７４は、第１の平面状本体部分１１４と、第１の平面状本体部分１１４から非ゼロ角度（例えば、９０度）で延出する第１のタブ１１８とを含む。補強金属プレート７８は、第２の平面状本体部分１２２と、第２の平面状本体部分１２２から非ゼロ角度（例えば、９０度）で延出する第２のタブ１２６とを含む。補強金属プレート７８は、硬質の接触領域を画定する自由端１２８を有する剛性の固定端子（rigid, stationary terminal）１２７をさらに含む。自由端１２８は、補強金属プレート７８の第２のタブ１２６とは反対側の端部に配置されている。図１０に示すように、組み立てられた状態では、接地金属プレート７４は、補強金属プレート７８からすべての点で離間されており、第１のタブ１１８及び第２のタブ１２６は互いに隣接して配置されている。
【００１６】
図示された実施形態では、接地金属プレート７４及び補強金属プレート７８の両方は、金メッキされたチタン銅合金板金で作られている。他の実施形態では、接地金属プレート７４及び補強金属プレート７８は、異なる材料から作られるか、または異なるタイプのメッキを有するか、あるいはその両方であり、ニッケルメッキまたは電気接続特性を提供するための適切なメッキ仕上げを有する他の電気導体材料を含む。図示の実施形態では、接地金属プレート７４及び補強金属プレート７８の両方が、０．２０ｍｍより大きくない厚さを有する。他の実施形態は、異なる値または範囲の厚さを含む。
【００１７】
図１１を参照すると、ドームアレイアセンブリ７０が、接地金属プレート７４に結合されている。ドームアレイアセンブリ７０は、第３の平面状本体部分１３０と、第３の平面状本体部分１３０から延出するドーム形状部分１３４とを含む。第３の平面状本体部分１３０は、第１の平面状本体部分１１４に（例えば接着剤を用いて）直接的に結合されて、ドーム形状部分１３４が、接地金属プレート７４から離れるように第１の方向に延在し、第１のタブ１１８が、ドームアレイアセンブリ７０から離れるように第２の反対の方向に延出している。
【００１８】
図１０から図１２を参照すると、接地金属プレート７４、補強金属プレート７８、及びドームアレイアセンブリ７０の各々は、複数の開口１３８を含み、そのうちの少なくとも１つがハウジング１４上で（図１２に示すように）ヒートステーク（heat stake）１４２を受容するために使用されている。いくつかの実施形態では、ヒートステーク１４２はプラスチックであるが、他の実施形態は異なる材料を含む。接地金属プレート７４、補強金属プレート７８、及びドームアレイアセンブリ７０をハウジング１４に組み立てるために、接地金属プレート７４及びドームアレイアセンブリ７０上の開口１３８は、相互に位置合わせされ、かつ１つまたは複数のヒートステーク１４２の上に配置され、補強金属プレート７８上の開口１３８は、１つまたは複数のヒートステーク１４２の上に配置される（図１２参照）。次にヒートステーク１４２を加熱して冷却させることにより、接地金属プレート７４、補強金属プレート７８、ドームアレイアセンブリ７０を適所にしっかりと固定して取り付ける。他の実施形態は、接地金属プレート７４、補強金属プレート７８、及びドームアレイアセンブリ７０をポータブル通信デバイス１０に固定するための異なる構造及び方法を含む。
【００１９】
図１から図１２を参照すると、ユーザがボタン６２の第１の面１０２を押すと、ボタン６２の第２の面１０６は、ドーム形状部分１３４に接触し、ドーム形状部分１３４が補強金属プレート７８の自由端１２８に接触するまで、ドーム形状部分１３４を第１の平面状本体部分１１４に対して撓ませる。図示された実施形態では、ドーム形状部分１３４は、第１の平面状本体部分１１４と同様に、ステンレス鋼で作られており、ドーム形状部分１３４が押圧されたときにユーザに触覚フィードバックを提供する。いくつかの実施形態では、ドーム形状部分１３４は、めっき仕上げを使用することによって得られる電気接続特性を含んでいる。ドーム形状部分１３４及び第１の平面状本体部分１１４の他の実施形態は、異なる材料で作られている。
【００２０】
図１３から図１５を参照すると、第１のタブ１１８は、プリント回路基板１５０（その境界は図１４に部分的に示されている）上の第１の電気接点１４６（図１３及び図１４）に結合されている。第１の電気接点１４６は、例えば、ばね接点、ポゴピン、または他の電気接点とすることができる。プリント回路基板１５０は、ハウジング１４内に配置され、（図１４に概略的に示される）電気プロセッサ１５４に結合されている。第２のタブ１２６は、プリント回路基板１５０上の第２の電気接点１５８に結合されている。第２の電気接点１５８は、例えば、ばね接点、ポゴピン、または他の電気接点とすることができる。いくつかの実施形態では、接地金属プレート７４及び補強金属プレート７８のうちの少なくとも一方は、ハウジング１４に取り付けられた別個の金属プレートではなく、代わりにハウジング１４の基板上へのレーザ直接構造化によってエッチングされる。
【００２１】
図１３から図１５を続けて参照すると、ドーム形状部分１３４が自由端１２８に接触すると、第１の電気接点１４６、第１のタブ１１８、第１の平面状本体部分１１４、ドーム形状部分１３４、自由端１２８、第２の平面状本体部分１２２、第２のタブ１２６、及び第２の電気接点１５８の間の電気的接続（図１５）が完成する。いくつかの実施形態では、この完成した電気的接続は、電気プロセッサ１５４にポータブル通信デバイス内のスピーカまたは電気的構成要素（図示せず）を起動させ、ユーザが別のポータブル通信デバイス１０に話すことを可能にする。
【００２２】
別個の接地金属プレート７４及び補強金属プレート７８の使用は、ボタン６２の押圧中の安定性及びバッキング強度（backing strength）を提供する。しかしながら、いくつかの実施形態では、ポータブル通信デバイス１０は、ハウジング１４内に配置された可撓性プリント回路基板（図示せず）を含み、上述した別個の接地金属プレート７４及び補強金属プレート７８を使用しない。むしろ、可撓性プリント回路基板自体は、可撓性プリント回路基板の内部に（例えば、金またはニッケルメッキされた）接地端子及びライフ端子（life terminal）を含み、接地端子とライフ端子との間は分離されている。図１６を参照すると、この実施形態では、ポータブル通信デバイス１０は、接地金属プレート７４及び補強金属プレート７８の代わりにドームアレイアセンブリ１６２を使用する。ドームアレイアセンブリ１６２は、ハウジング１４に結合されるように構成され、第１の平面状部分１６６及びドーム形状部分１７０（例えば、ステンレス鋼板金製）を含む。ユーザがボタン６２の第１の面１０２を押すと、ボタン６２の第２の面１０６がドーム形状部分１７０に接触し、ドーム形状部分１７０が撓んで可撓性プリント回路基板上の電気接点に接触し、その結果、接地端子とライフ端子との間の電気的接続が完成する。
【００２３】
図１７及び１８を参照すると、いくつかの実施形態では、プッシュツートークアセンブリ５８は、ポータブル通信デバイス１０への水または他の物質の流入を抑制または防止するために、シーリング要素によってハウジング１４に封止される（sealed）。例えば、いくつかの実施形態では、シーリング要素は、接着剤１７４（例えば感圧接着剤または液体接着剤）であり、プッシュツートークアセンブリ５８とハウジング１４との間に塗布される（図１７参照）。いくつかの実施形態では、ボタン６２自体が、ボタン６２から延出する少なくとも１つの突起１７８（例えばシリコーンゴム製のリブ）の形態のシーリング要素を含み、少なくとも１つの突起１７８は、プッシュツートークアセンブリ５８がポータブル通信デバイス１０上に組み立てられた場合にハウジング１４を圧迫し、ハウジング１４に対してシールを形成する（図１８参照）。いくつかの実施形態では、シーリング要素は、ボタン６２と共に成形される。いくつかの実施形態では、シーリング要素は、可撓性のポリマー材料で作られる。他の実施形態は、図１７及び図１８に示されたものと異なるシーリング要素及びシーリング要素のための材料、ならびにシール要素の異なる位置を含む。
【００２４】
図７を参照すると、プッシュツートークアセンブリ５８は、ポータブル通信デバイス１０の側面４６に沿った外側のハウジング１４に垂直な方向に沿って測定された全体の厚さ１８２（第１のタブ１１８及び第２のタブ１２６を含まない）を有する。いくつかの実施形態では、厚さ１８２は３ｍｍ未満である。いくつかの実施形態では、厚さは２．５ｍｍ未満である。いくつかの実施形態では、厚さは２．０ｍｍと２．５ｍｍとの間である。いくつかの実施形態では、厚さは２．１ｍｍである。他の実施形態は、異なる厚さ及び厚さの範囲を含む。
【００２５】
前述の明細書では、特定の実施形態について説明した。しかしながら、当業者であれば、以下の特許請求の範囲に記載された本発明の範囲から逸脱することなく、様々な修正及び変更を行うことができることを理解することが可能である。したがって、明細書及び図面は、限定的な意味ではなく例示的な意味で考慮されるべきであり、そのような変更のすべては、本教示の範囲内に含まれることが意図されている。
【００２６】
メリット、利点、問題への解決策、及びメリット、利点、または解決策を発生させる可能性がある任意の要素（複数可）は、いずれかまたは全ての請求項の重要な、必須の、または不可欠な特徴または要素と解釈されるべきではない。本発明は、本出願の係属中になされた任意の補正を含む添付の請求の範囲及び発行された請求の範囲の全ての均等物によってのみ定義される。
【００２７】
さらに、本明細書では、第１及び第２、上部及び下部などの関係用語は、ある実体または動作を別の実体または動作と区別するためにのみ使用されてもよく、そのような実体または動作の間の実際のそのような関係または順序を必ずしも必要としない。「備える」、「備えている」、「有する」、「有している」、「含む」、「含んでいる」、「包含する」、「包含している」などの用語、またはこれらの任意の他の変化形は、非排他的な包含を対象とすることを意図しており、要素のリストを備え、有し、含み、包含するプロセス、方法、物品、または装置は、それらの要素のみを含むのではなく、明示的に列挙されていないかまたはそのプロセス、方法、物品、または装置に固有の他の要素を含み得る。「〜を備える」、「〜を有する」、「〜を含む」、または「〜を包含する」と記載される要素は、それ以上の制約なしに、その要素を備える、有する、含む、含有するプロセス、方法、物品または装置におけるさらなる同一の要素の存在を排除するものではない。「実質的に」、「本質的に」、「およそ」、「約」などの用語、またはその任意の他のバージョンは、当業者によって理解されるものに近いものとして定義され、１つの非限定的な実施形態において、この用語は、１０％以内、別の実施形態では５％以内、別の実施形態では１％以内、別の実施形態では０．５％以内であると定義される。本明細書で使用される「結合された」という用語は、必ずしも直接的ではなく必ずしも機械的にではないが、接続されたものとして定義される。特定の方法で「構成された」デバイスまたは構造体は、少なくともその方法で構成されているが、記載されていない方法で構成することも可能である。
【００２８】
いくつかの実施形態は、マイクロプロセッサ、デジタル信号プロセッサ、カスタマイズされたプロセッサ及びフィールドプログラマブルゲートアレイ（ＦＰＧＡ）及び独自の格納されたプログラム命令（ソフトウェア及びファームウェアの両方を含む）のような１つまたは複数の汎用または専用プロセッサ（または「処理デバイス」）からなり、これらは、１つまたは複数のプロセッサを制御して、本明細書で説明される方法及び装置のうちの少なくとも一方の機能のいくつか、大部分、またはすべてを、特定の非プロセッサ回路を併用して実装する。あるいは、機能のいくつかまたはすべてが、格納されたプログラム命令をもたない状態機械によって、または、各機能または機能のいくつかの組み合わせがカスタムロジックとして実装される１つまたは複数の特定用途向け集積回路（ＡＳＩＣ）によって実装されることが可能である。もちろん、２つのアプローチを組み合わせて使用することも可能である。
【００２９】
さらに、一実施形態は、本明細書に記載され請求される方法を実行するようにコンピュータ（例えば、プロセッサを含む）をプログラミングするためのコンピュータ可読コードを記憶したコンピュータ可読記憶媒体として実装することができる。そのようなコンピュータ可読記憶媒体の例には、ハードディスク、ＣＤ−ＲＯＭ、光学記憶デバイス、磁気記憶デバイス、ＲＯＭ（読み取り専用メモリ）、ＰＲＯＭ（プログラム可能な読み取り専用メモリ）、ＥＰＲＯＭ（消去可能なプログラム可能読み取り専用メモリ）、ＥＥＰＲＯＭ（電気的に消去可能なプログラム可能読み取り専用メモリ）、及びフラッシュメモリが含まれるが、これに限定されない。さらに、当業者は、本明細書に開示された概念及び原理によって導かれる場合、できる限りの大きな努力及び例えば利用可能な時間、現在の技術、及び経済的な考慮事項によって動機付けられる多くの設計選択にもかかわらず、最小限の実験でこのようなソフトウェア命令及びプログラム及びＩＣを容易に生成することが可能であると予期される。
【００３０】
開示の要約は、読者が技術的開示の性質を迅速に確認できるようにするために提供される。これは、請求の範囲または意味を解釈または制限するために使用されないことを理解して提出されるものである。さらに、上記の詳細な説明では、本開示を合理化する目的で、さまざまな実施形態において様々な特徴がまとめられていることが分かる。この開示の方法は、請求された実施形態が各請求項に明示的に記載されたより多くの特徴を必要とするという意図を反映するものとして解釈されるべきではない。むしろ、以下の特許請求の範囲が反映するように、発明の主題は、単一の開示された実施形態のすべての特徴よりも少ないものである。したがって、以下の特許請求の範囲は、発明の詳細な説明に組み込まれ、各請求項は、別々に請求される主題として独立するものである。
【図１】
2019519881.tif 000003
【図２】
2019519881.tif 000004
【図３】
2019519881.tif 000005
【図４】
2019519881.tif 000006
【図５】
2019519881.tif 000007
【図６】
2019519881.tif 000008
【図７】
2019519881.tif 000009
【図８】
2019519881.tif 000010
【図９】
2019519881.tif 000011
【図１０】
2019519881.tif 000012
【図１１】
2019519881.tif 000013
【図１２】
2019519881.tif 000014
【図１３】
2019519881.tif 000015
【図１４】
2019519881.tif 000016
【図１５】
2019519881.tif 000017
【図１６】
2019519881.tif 000018
【図１７】
2019519881.tif 000019
【図１８】
2019519881.tif 000020
【国際調査報告】
2019519881.tif 000021
2019519881.tif 000022
2019519881.tif 000023